(57)【特許請求の範囲】
【請求項１】
螺旋溝が内周に形成された螺旋筒内に、ガイド溝が穿設された案内筒を前部に有する基筒を回転自在に設け、前記案内筒内に皿部材を内挿し、前記案内筒の前記ガイド溝を介して前記螺旋筒内の前記螺旋溝に係合する螺合突起を前記皿部材外周に設け、前記螺旋筒と前記基筒との回転操作によって前記皿部材を前記ガイド溝に沿って進退自在とした棒状化粧材繰出容器であって；
前記皿部材の腔部は、プラスチックの変形しやすい円筒状の薄膜によって形成され、
前記薄膜外周が前記案内筒の内周に形成される摺動面に常時当接することで、前記腔部を棒状化粧材が嵌着可能な円筒状に矯正していることを特徴とする棒状化粧材繰出容器。
【発明の詳細な説明】
【技術分野】
【０００１】
本発明は、口紅等の棒状化粧材繰出容器に関する。特には、これら棒状化粧材の保持方法に関する。
【背景技術】
【０００２】
螺旋溝の内周に形成した螺旋筒内に、ガイド溝を穿設した案内筒を前部に有する基筒を回転自在に設け、前記案内筒内に皿部材を内挿し、この皿部材外周より前記案内筒のガイド溝を介して前記螺旋筒内の螺旋溝に係合する螺合突起を設け、前記螺旋筒と基筒の回転操作で皿部材をガイド溝に沿って進退自在とした棒状化粧材の繰出容器は、周知として知られ、その中でも改良発明として最近では特開２００１−２３１６２８号公報や特許第３１８５２０１号公報が出願されている。
【０００３】
図４は従来例として、特開２００１−２３１６２８号公報の図１を（Ｘ）、棒状化粧材を保持する保持筒１２の立体図を（Ｙ）とし、この保持筒１２に嵌入される棒状化粧材を（Ｚ）とし示したもので、通常棒状化粧材は（Ｚ）の（ア）図に示す如く、保持筒１２の厚み分段部ａを構成し、縮径部ｂを保持部である保持筒１２の腔部に嵌入させる。勿論（イ）図の如く保持筒１２の内径分の棒状化粧材を用いることも可能であるが、外径に対し棒状化粧材が細く、全体に貧弱な印象を与えるため、この方式の繰出容器は（ア）図の棒状化粧材を用いることが化粧品の業界では慣例となっている。
【特許文献１】特許第３１８５２０１号公報
【特許文献２】特開２００１−２３１６２８号公報
【発明の開示】
【発明が解決しようとする課題】
【０００４】
従来例に見られる図４の棒状化粧材（Ｚ）の（ア）図に示す形状は、従来この方式の繰出容器に使用されていた棒状化粧材の形状であるが、段部ａで縮径部ｂを構成するため、この縮径部ｂで棒状化粧材が折れやすく、又、段部ａより縮径部ｂに至る溶解した棒状化粧材の流動性が処方をある程度限定せざるを得ないこととしていた。
【０００５】
一方、棒状化粧材（Ｚ）の（イ）図の形状では、容器外径に比べて棒状化粧材が細すぎ、化粧品としての美観を損ね、購買意欲を失わせる商品となってしまうため、この方式の繰出容器ではほとんど使用されていない。
【０００６】
本発明は、棒状化粧材が（Ｚ）の（イ）図の形状でありながら、（ア）図に使用される繰出容器と同様な外形寸法で製造可能なことを目的としている。そのため、従来例である図４の（Ｙ）に示す保持筒１２の外壁の厚みを極端に薄くして、棒状化粧材の保持を目的とした発明である。
【課題を解決するための手段】
【０００７】
そのため、本発明の棒状化粧材繰出容器においては、螺旋溝が内周に形成された螺旋筒内に、ガイド溝が穿設された案内筒を前部に有する基筒を回転自在に設け、前記案内筒内に皿部材を内挿し、前記案内筒の前記ガイド溝を介して前記螺旋筒内の前記螺旋溝に係合する螺合突起を前記皿部材外周に設け、前記螺旋筒と前記基筒との回転操作によって前記皿部材を前記ガイド溝に沿って進退自在とした棒状化粧材繰出容器であって；前記皿部材の腔部は、プラスチックの変形しやすい円筒状の薄膜によって形成され、前記薄膜外周が前記案内筒の内周に形成される摺動面に常時当接することで、前記腔部を棒状化粧材が嵌着可能な円筒状に矯正している手段を講じたものである。
【発明を実施するための最良の形態】
【０００８】
本発明を図により詳細に説明する。
図１は本発明の棒状化粧材繰出容器１の縦一部断面図と、使用される棒状化粧材Ａを示したもので、この棒状化粧材は砲弾形をなし、従来例の（ア）図に示す段部や縮径部はなく、嵌入部Ａ’は略円形断面Ａ”を形成する。図２は棒状化粧材繰出容器１に使用される各部材を示すもので、（Ａ）は螺旋筒２０、（Ｂ）は基筒１０、（Ｃ）は設計上の形状である皿部材３０を示している。
【０００９】
（Ａ）螺旋筒２０は、２条の螺旋溝２１を備えた円筒形状より構成される。（Ｂ）基筒１０は、下部の円筒形の基部１０ａよりキャップ３の厚み分の段差を持って円筒体が形成され、ここにキャップ３の嵌合凹部３ａと着脱に嵌合するキャップ係合突起１６が突設され、さらに螺旋筒２０の厚み分段部１３が形成され、案内筒１５が立設される。案内筒には一対のガイド溝１１が穿設され、ガイド溝の一つは皿部材３０が嵌入可能とするため前端までスリットが切られている。また、案内筒１５の前端は、前端環状部１２が形成される。この案内筒１５内径は、皿部材３０が摺動可能な摺動孔１７が穿設される。
【００１０】
（Ｃ）皿部材３０は、薄膜３２で腔部３１が構成され、この薄膜３２外周より一対の凸条３３が軸方向に立設され、この凸条３３表面に前記螺旋筒２０の螺旋溝２１に螺合する螺合突起３４が形成される。皿部材３０の底面３６も薄膜で形成され、貫通孔３５が穿設される。
【００１１】
皿部材３０は、ガイド溝１１の一方側より（前端までスリットの入ったガイド溝）案内筒１５を拡開して摺動孔１７に収容され、ガイド溝１１には皿部材３０の一対の凸条３３が係合して回転止機構を構成する。螺旋筒２０は後端側２０ｂより案内筒１５の前端環状部１２を縮小して嵌入され、螺旋筒２０の全長は案内筒１５の前端環状部１２が形成する下端面１２ａと段部１３の間に収容され、皿部材３０の凸条３３表面に突設した螺合突起３４が螺旋溝２１に螺合することで繰出機構が構成される。
【００１２】
この状態で螺旋筒２０と基筒１０の基部１０ａを回転操作することで、皿部材３０に保持された棒状化粧材Ａが、ガイド溝１１に沿って進退する。棒状化粧材繰出容器１の繰出機構は周知であり、従来例も同様な繰出機構の方式を採用している。
【００１３】
棒状化粧材繰出容器１の設計にあたり、図２の（Ｃ）で皿部材３０の設計外周線３１ｂは、（Ｂ）基筒１０の案内筒１５に穿設した摺動孔１７が描く摺動内周線１４ａに当接しない設計がなされ、さらに設計内周線３１ａは、図１の棒状化粧材Ａの略円形断面Ａ”とほぼ同一断面として設計される。
【００１４】
本発明の皿部材３０は、プラスチックの射出成形によって、熱可塑性樹脂を金型によって成形する。さらに、皿部材３０は、肉厚を薄膜３２としたため、図２の（Ｃ）に示されるような設計上の形状ではなく、図３の（Ｃ’）に示される状態で製造され、腔部３１が変形された状態になる。つまり、腔部３１は、図２の（Ｃ）に示されるような略円形ではなく、図３の（Ｃ’）に示されるような疑似円３１Ｘとして形成され、薄膜内周線３２ａは棒状化粧材Ａの略円形断面Ａ’に一致しないため、皿部材３０単体では棒状化粧材Ａを保持できない形状となっている。
【００１５】
例えば、本発明の皿部材３０の厚みは、そのミニマムを０，０５ｍｍとして考えられる。凸条３３と薄膜３２との樹脂の熔解流入時におけるひずみやコアピンとの微かな偏肉によって腔部３１は略円形に形成されず、疑似円３１Ｘとして形成される。ただし、皿部材３０は、薄膜３２で構成されているため、非常に変形しやすい弾性を有している。
【００１６】
本発明は、この非常に変形しやすい弾性を有する皿部材３０を、案内筒１５の摺動孔１７に嵌入したとき、皿部材３０の薄膜外周線３２ｂが摺動面１４に当接することで、疑似円３１Ｘを矯正し、棒状化粧材Ａの嵌入部Ａ’の略円形断面Ａ”と一致させることで、棒状化粧材Ａの保持を確実なものとしていることを特徴としている。
【００１７】
棒状化粧材Ａの嵌入部Ａ’が腔部３１に嵌入すると、皿部材３０の薄膜内周線３２ａがぴったりと嵌入部Ａ’に張り付き、全く空気を入れないため従来より保持能力が強く、落下等で棒状化粧材が皿部材より抜ける事故がなくなる。
【００１８】
皿部材３０は、非常に変形しやすい弾性をもって基筒１０内の摺動面１４に当接しているため、輸送や振動で皿部材３０が移動することがなく、安定した摺動を約束する。
【００１９】
さらに、従来の段部と縮径部を有する棒状化粧材を収容する繰出容器と同様な外形寸法で、段部と縮径部のない棒状化粧材を収容可能な棒状化粧材繰出容器を提供できる発明である。
【図面の簡単な説明】
【００２０】
【図１】本発明の棒状化粧材繰出容器１の縦一部断面図と、使用される棒状化粧材Ａを示したものである。
【図２】図１の棒状化粧材繰出容器１に使用させる各部材を示すもので、（Ａ）は螺旋筒２０、（Ｂ）は基筒１０、（Ｃ）は設計上の形状である皿部材３０を示している。
【図３】プラスチックの射出成形によって製造された状態の皿部材３０を示している。
【図４】従来例である。（Ｘ）は特開２００１−２３１６２８号公報の図１を、（Ｙ）は同じく特開２００１−２３１６２８号公報の図５の保持筒１２の立体図を、（Ｚ）は保持筒１２に嵌入される棒状化粧材を示している。
【符号の説明】
【００２１】
Ａ・・・・棒状化粧材
Ａ’・・・嵌入部
Ａ’’・・略円形断面
１・・・・棒状化粧材繰出容器
２・・・・繰出容器本体
３・・・・キャップ
３ａ・・・嵌合凹部
１０・・・基筒
１０ａ・・基部
１１・・・ガイド溝
１２・・・前端環状部
１２ａ・・下端面
１４・・・摺動面
１４ａ・・摺動内周線
１５・・・案内筒
１６・・・キャップ係合突起
１７・・・摺動孔
２０・・・螺旋筒
２０ａ・・前端
２０ｂ・・後端
２１・・・螺旋溝
３０・・・皿部材
３１・・・腔部
３１Ｘ・・疑似円
３１ａ・・設計内周線
３１ｂ・・設計外周線
３２・・・薄膜
３２ａ・・薄膜内周線
３２ｂ・・薄膜外周線
３３・・・凸条
３４・・・螺合突起
３５・・・貫通孔
３６・・・底面
【図１】
0004646757.tif 000002
【図２】
0004646757.tif 000003
【図３】
0004646757.tif 000004
【図４】
0004646757.tif 000005